(57)【特許請求の範囲】
【請求項１】
移動交換センタ（１０）と複数の基地局（１、２）とからなる無線通信システムにおいて、選択された移動局（２０）についての呼処理データを取得するための、移動局呼処理データ取得方法であって、
該移動交換センタによって扱われる該選択された全ての移動局についての表示を、該移動交換センタに維持するステップと、
該基地局のうちの１つの基地局（１）によって扱われる該選択された移動局（２０）のみについての表示を、該１つの基地局に維持するステップと、
該選択された移動局のうちの１つの移動局（２０）について報告すべきイベントが生じたときに、該報告すべきイベントについての関連データを該移動交換センタに報告するステップとからなり、
該データは呼処理データからなり、そして該報告すべきイベントは呼処理のイベントからなることを特徴とする移動局呼処理データ取得方法。
【請求項２】
前記方法が更に、
第１の基地局が呼を第２の基地局に引き継ぐときに、一連の引継メッセージの一部として、該引き継がれる呼の移動局が前記選択された移動局のうちの１つであるかどうかの表示（４０）を送信するステップからなることを特徴とする請求項１の方法。
【請求項３】
前記１つの基地局に維持される前記表示が、前記１つの基地局によって扱われる前記選択された移動局のリスト（３３）を前記１つの基地局に格納することによって、前記１つの基地局内に格納される、ことを特徴とする請求項１の方法。
【請求項４】
前記１つの基地局に維持される前記表示が、前記１つの基地局において、前記１つの基地局によって扱われる個々の前記選択された移動局についての呼記録（３３）内に格納されることを特徴とする請求項１の方法。
【請求項５】
前記１つの基地局に表示を維持する前記ステップが、
前記移動交換センタから、移動呼発起についてのメッセージ群を受信するステップからなり、該メッセージ群が、該移動呼発起に関する前記選択された移動局がモニタされるべきであるとの表示からなることを特徴とする請求項１の方法。
【請求項６】
前記選択された移動局がモニタされるべきであるとの前記表示が、前記選択された移動局をモニタすることを要求するメッセージからなることを特徴とする請求項５の方法。
【請求項７】
前記選択された移動局がモニタされるべきであるとの前記表示が、前記選択された移動局をモニタすることを要求するメッセージからなり、該モニタ要求メッセージが、呼発起要求についてのメッセージ群のうちの現存する１つのメッセージの一部として送信されることを特徴とする請求項５の方法。
【請求項８】
前記無線通信システムが更に、
動作支援システム（１２）からなり、
前記方法が更に、
該動作支援システムにおいて、或る特定の移動局をモニタするようにとの要求（１５）を生成し、該要求を前記移動交換センタに送信するステップからなることを特徴とする請求項５の方法。
【請求項９】
前記方法が更に、
前記リストに含まれる移動局からの呼の発起要求、又は、前記リストに含まれる移動局への呼の終了要求、の受信に応動して、該呼をモニタするようにとの要求を、該呼発起又は該呼終了を扱う基地局に送信するステップからなることを特徴とする請求項１の方法。
【請求項１０】
前記方法が更に、
前記第２の基地局が呼を第３の基地局に引き継ぐときに、一連の引継メッセージの一部として、該引き継がれる呼の移動局が前記選択された移動局のうちの１つであるかどうかの表示を送信するステップと、
もし該引き継がれる呼の移動局が前記選択された移動局のうちの１つである場合に、報告すべきイベントについての関連データを該第３の基地局から報告するステップとからなり、
該第３の基地局は、前記第１の基地局でもよいが、前記第１の基地局である必要はないことを特徴とする請求項１の方法。
【請求項１１】
移動交換センタ（１０）と複数の基地局（１、２）とからなる無線通信システムにおいて、選択された移動局（２０）についての呼処理データを取得するための、移動局呼処理データ取得装置であって、
該装置が該システムの該基地局におけるプロセッサ手段（３０）からなり、
該プロセッサ手段が、
該移動交換センタによって扱われる該選択された移動局の全てについての表示を、該移動交換センタに維持する動作と、
該基地局のうちの１つの基地局（１）によって扱われる該選択された移動局（２０）のみについての表示を、該１つの基地局に維持する動作と、
該選択された移動局のうちの１つの移動局について報告すべきイベントが生じたときに、該報告すべきイベントについての関連データを該移動交換センタに報告する動作とを行い、そして、
前記データは呼処理データからなり、そして前記報告すべきイベントは呼処理のイベントであることを特徴とする移動局呼処理データ取得装置。
【請求項１２】
前記プロセッサ手段が更に、
第１の基地局が呼を第２の基地局に引き継ぐときに、一連の引継メッセージの一部として、該引き継がれる呼の移動局が前記選択された移動局のうちの１つであるかどうかの表示（４０）を送信する動作を行うことを特徴とする請求項１１の装置。
【請求項１３】
前記１つの基地局に維持される前記表示が、前記１つの基地局によって扱われる前記選択された移動局のリスト（３３）を前記１つの基地局に格納することによって、前記１つの基地局内に格納されることを特徴とする請求項１１の装置。
【請求項１４】
前記１つの基地局に維持される前記表示が、前記１つの基地局において、前記１つの基地局によって扱われる個々の前記選択された移動局についての呼記録（３３）内に格納されることを特徴とする請求項１１の装置。
【請求項１５】
前記１つの基地局に表示を維持する前記動作が、
前記移動交換センタから、移動呼発起についてのメッセージ群を受信する動作からなり、該メッセージ群が、該移動呼発起に関する前記選択された移動局がモニタされるべきであるとの表示からなることを特徴とする請求項１１の装置。
【請求項１６】
前記選択された移動局がモニタされるべきであるとの前記表示が、前記選択された移動局をモニタすることを要求するメッセージからなることを特徴とする請求項１５の装置。
【請求項１７】
前記選択された移動局がモニタされるべきであるとの前記表示が、前記選択された移動局をモニタすることを要求するメッセージからなり、該モニタ要求メッセージが、呼発起要求についてのメッセージ群のうちの現存する１つのメッセージの一部として送信されることを特徴とする請求項１５の装置。
【請求項１８】
前記無線通信システムが更に、
動作支援システム（１２）からなり、
該動作支援システムが、或る特定の移動局をモニタするようにとの要求（１５）を該動作支援システムにおいて生成し、該要求を前記移動交換センタに送信することを特徴とする請求項１５の装置。
【請求項１９】
前記プロセッサ手段が更に、
前記リストに含まれる移動局からの呼の発起要求、又は、前記リストに含まれる移動局への呼の終了要求、の受信に応動して、該呼をモニタするようにとの要求を、該呼発起又は該呼終了を扱う基地局に送信する動作を行うことを特徴とする請求項１１の装置。
【請求項２０】
前記プロセッサ手段が更に、
前記第２の基地局が呼を第３の基地局に引き継ぐときに、一連の引継メッセージの一部として、該引き継がれる呼の移動局が前記選択された移動局のうちの１つであるかどうかの表示を送信する動作と、
もし該引き継がれる呼の移動局が前記選択された移動局のうちの１つである場合に、報告すべきイベントについての関連データを該第３の基地局から報告する動作とを行い、
該第３の基地局は、前記第１の基地局でもよいが前記第１の基地局である必要はないことを特徴とする請求項１１の装置。
【発明の詳細な説明】
【０００１】
【発明の属する技術分野】
本発明は、選択された移動局が受発信する呼についてのデータを取得するための構成に関する。
【０００２】
【従来の技術】
セル型の移動交換システム（ｍｏｂｉｌｅ  ｓｗｉｔｃｈｉｎｇ  ｓｙｓｔｅｍ）の制御処理は必然的に、１つの集中型移動交換センタと、各々が周囲区域（セル）内の移動局と通信する複数の基地局との間に高度に分散される。移動局が多くの基地局の間を予測不可能な仕方で移動するこのような分散システムにおいては、ソフトウエアの問題、又は正しくないデータに付随する問題、を基地局において追跡して特定することが特に困難である。
【０００３】
このような問題を検出して補正を示唆するのに必要な情報を取得するための強力な診断手段は、その移動局についての呼処理が円滑に進行しない兆候がある場合にその特定の移動局が受発信する呼についての全ての呼データを取得することである。このような兆候の一例は、引き継ぎ（ハンドオフ：ｈａｎｄ−ｏｆｆ）を要求する基地局によって発起される引継要求が被要求側基地局によって拒絶されることである。
【０００４】
従来の技術では、選択された移動局からなされる呼又は選択された移動局宛になされる呼についてのこのような情報は全て、その移動局を扱う全ての基地局にその移動局に連関するフラグを設けることによって取得される。移動局はその動きを束縛されないことから、従来の技術の問題は、選択された移動局についての呼を制御する基地局を１つも漏らさずにこのようなフラグを設定するのはやっかいであるということであり、過剰な数のフラグを設定することになりやすい。
【０００５】
選択された１つの移動局についてのみデータが収集されることを確実にするために、各フラグを基地局からの全てのメッセージの各々について点検する必要がある。大抵の場合、選択される移動局の数は極めて少ないが、このような全てのメッセージの各々についてそのメッセージの移動局がフラグ対象の移動局かどうかを点検しなければならないための処理能力への影響が大きく、有害である。
【０００６】
【発明が解決しようとする課題】
従来の技術における問題は、移動局についてのデータの全て又は大部分を取得する効率的方法がないことである。
【０００７】
【課題を解決するための手段】
発明者が上記の問題を更に解析した結果、選択された移動局（選択移動局）のフラグ、又はモニタ（監視）を要する旨の表示、については、或る基地局がその選択移動局の行動を実際に制御するようになったときにその基地局にのみこのフラグ又は表示を維持すればよいということを認識した。
【０００８】
発明者は、次のような構成からなる本発明によって上記の問題を解決し、従来の技術に貢献した。すなわち、本発明の方法は（ａ）移動交換センタ（１０）と（ｂ）複数の基地局（１、２）とからなる無線通信システムにおいて、選択された移動局（２０）についての呼処理データを取得するための移動局呼処理データ取得方法であって（Ａ）移動交換センタには、移動交換センタによって扱われる、全ての選択された移動局についての表示を維持するステップからなる。
【０００９】
この方法は更に、（Ｂ）或る１つの基地局（１）には、その或る１つの基地局によって扱われる、選択された移動局（２０）のみについての表示を維持するステップと、（Ｃ）或る１つの選択移動局（２０）について報告すべき事柄（イベント）が生じたときに、その報告すべき事柄についての関連データを移動交換センタに報告するステップとからなる。
【００１０】
すなわち、選択移動局が或る基地局に登録され、又はその制御下にあるときにその時のみ、その基地局内に、その移動局がモニタ対象として選択された移動局である旨の表示が生成維持される。選択移動局が或る基地局から別の基地局に引き継がれるとき、引き継がれる移動局がその呼記録データをモニタされつつある選択移動局である、との表示がその引継メッセージ群に含まれる。
【００１１】
有利な点として、選択移動局の呼を実際に扱い制御している基地局のみがその移動局についての表示を維持すればよく、或る移動局がモニタされつつあるかどうかを点検する検索が促進される。別の有利な点として、このような構成によれば、本発明を実施するためのソフトウエアの変更が最少範囲に留められる。
【００１２】
本発明の別の実施例によれば、フラグ表示が、移動局の或る基地局から別の基地局への引き継ぎの際に、独自のプロトコルメッセージ内の１ビット表示標識として送信される。
【００１３】
【発明の実施の形態】
図１は本発明の動作を例示するブロック図である。移動交換センタ（ｍｏｂｉｌｅ  ｓｗｉｔｃｈｉｎｇ  ｃｅｎｔｅｒ）  １０が、複数の基地局（そのうちの２つを符号１、２で図中に示す）について制御及び交換を行う。
【００１４】
移動交換センタ１０は、移動局が係わる呼の処理を解析用にモニタし記録するためにモニタ対象としてモニタされる選択された移動局（本文中では選択移動局とも称する）についてのモニタ要求リストを維持する。各基地局は、基地局１の制御装置３０のような制御装置又はプロセッサを有する。この制御装置３０内には、モニタされる移動局についてのモニタ要求リスト３３が維持される。
【００１５】
移動交換センタ１０は、他の交換システム（図示しない）に送信用情報とデータとを送信するためのＣＣＳ７データネットワークと、他の交換システム（図示しない）に通信信号を送信するための公衆交換電話ネットワークとからなるデータ／交換ネットワーク１１に接続される。データ／交換ネットワーク１１には、移動交換センタ１０及びその基地局についての動作、管理、及び保守を制御するために動作（運用）支援システム１２（ｏｐｅｒａｔｉｏｎ  ｓｕｐｐｏｅｒ  ｓｙｓｔｅｍ）に接続される。動作支援システム１２は、或る特定の移動局をモニタするようにとの要求の源（ソース）の役をする場合があり得る。
【００１６】
図１は又、移動局２０も示す。この移動局２０は、初めに基地局１と無線接触しているが、次に基地局２の区域に移動し、次に基地局２と無線接触する。移動局２０と基地局１との間の無線接触を二重破線２１で示す。
【００１７】
図１は更に、４種類のメッセージ１５、３５、４０及び４５を示す。メッセージ１５は、特定の移動局がモニタされることを要求するメッセージで、動作支援システム１２から移動交換センタ１０へ送信される。
【００１８】
メッセージ１５は、この移動局についての移動局ＩＤ（識別子）１６と、この移動局をモニタするようにとのモニタ要求１７とからなる。メッセージ３５は、移動交換センタ１０から基地局へ送信される、特定の移動局がモニタされることを要求するメッセージである。メッセージ３５は、この移動局についての移動局ＩＤ、３６と、この移動局をモニタするようにとのモニタ要求３７とからなる。
【００１９】
メッセージ４０は、移動局２０が基地局２に引き継がれるときに基地局１から基地局２に送られる、類似の種類のメッセージである。メッセージ４０は、移動局ＩＤ、４１、とモニタ要求４２とからなる。メッセージ４５は、移動局を扱う基地局からモニタデータを報告するために移動交換センタに送信されるメッセージである。メッセージ４５は、移動局ＩＤ、４６、とモニタされつつある呼の呼データ４７とからなる。この呼データは、この後に動作支援システム１２に送信してもよい。
【００２０】
図２を参照して、移動交換センタで行われる動作を説明する。移動交換センタが、モニタ要求を受信し、又は生成する（ブロック２０１）。移動交換センタは、モニタ要求を動作支援システム１２から受信してもよいし、呼に関して或る状態又は事柄が検出された場合にその呼に係わる移動局をモニタする要求が自動的に発起されるように構成してもよい。移動交換センタがモニタ要求対象の移動局（モニタ移動局）を、そのモニタ要求リストに記載する（ブロック２０３）。
【００２１】
次に移動交換センタが移動局の呼発起要求又は呼終了要求を受信する（ブロック２０５）。点検ブロック２０７において、ブロック２０５で要求を発起した移動局が移動交換センタのモニタ要求リストに記載されているかどうかが点検される。もし記載されている場合、移動交換センタは、メッセージ３５のようなモニタ要求メッセージを、その呼に係わる移動局を扱う基地局に送信する（ブロック２０９）。
【００２２】
点検ブロック２０７で点検の結果、もしブロック２０５で要求を発起した移動局がモニタ要求リストに記載されていない場合、又はブロック２０９の動作を実行後、呼は従来の技術の場合と同様に処理される（ブロック２１１）。
【００２３】
もし移動交換センタが、移動局をモニタを中止するとの表示を受信し、又は生成した場合（ブロック２２１）、移動交換センタは、その移動局をモニタ要求リストから削除する（ブロック２２３）。モニタを中止するようにとの要求は、動作支援システム１２から来る可能性が高い。
【００２４】
移動交換センタが、モニタされている移動局についての呼データメッセージを基地局から受信する（ブロック２３０）。この情報は、メッセージ４５のようなメッセージの形で受信される。移動交換センタが、この呼データメッセージを、この呼データメッセージに係わる移動局についての記録に記載する（ブロック２３２）。次に、定期的に移動交換センタが、呼データメッセージを動作支援システム１２に送信する（ブロック２３４）。ブロック２３０、２３２及び２３４の動作は、従来の技術の範疇である。
【００２５】
図３を参照して、基地局で行われる動作を説明する。基地局が、メッセージ３５又はメッセージ４０のようなモニタ要求メッセージを、移動交換センタ又は別の基地局からそれぞれ受信する（ブロック３０１）。移動交換センタからのモニタ要求メッセージは、モニタ対象として識別された移動局による呼発起の際に受信される。又、別の基地局からのモニタ要求メッセージは、引継手順の一部として受信される。基地局が、このモニタ要求メッセージに基づき、この移動局をその基地局のモニタ要求リストに記載する（ブロック３０３）。
【００２６】
次に、基地局が移動局について報告すべき事柄を検出すると（ブロック３０５）、基地局が、この移動局がモニタ要求リストに記載されているかどうかを点検する（点検ブロック３０７）。もし記載されている場合、この報告すべき事柄を報告するメッセージが移動交換センタに送信される（ブロック３０９）。
【００２７】
ブロック３０９の動作を実行後、又はもしこの移動局がモニタ要求リストに記載されていない場合、呼処理は、基地局が移動局について別の報告すべき事柄を検出する（ブロック３０５）まで、従来の技術の場合と同様に進行する（ブロック３１１）。ブロック３０５、３０７、３０９及び３１１の動作は、従来の技術の範疇である。
【００２８】
基地局が呼を別の基地局に引き継ぐ場合（ブロック３２１）、この引継元基地局が、その呼に係わる移動局がモニタ要求リストに記載されているかどうかを点検する（点検ブロック３２３）。もし記載されている場合、引継元基地局が、引継先基地局にモニタ要求メッセージを送信し（ブロック３２５）、その移動局を引継元基地局のモニタ要求リストから削除する（ブロック３２７）。
【００２９】
ブロック３２７を実行後、又はもしこの移動局がモニタ要求リストに記載されていない場合、呼は従来の技術の場合と同様に処理される（ブロック３２９）。
【００３０】
呼を終了する場合（ブロック３４１）、その移動局がこの基地局のモニタ要求リストに記載されているかどうかが点検される（点検ブロック３４３）。もし記載されている場合、その移動局はこの基地局についてのモニタ要求リストから除外される（ブロック３４５）。ブロック３４５の動作を実行後、又はもしこの移動局がモニタ要求リストに記載されていない場合、呼は従来の技術の場合と同様に処理される（ブロック３４７）。
【００３１】
本実施例では、移動局が基地局によってモニタされることを要求するのに別個のメッセージが用いられる。別の実施例では、移動局をモニタすることが要求されるかどうかを表すのに、専用の１個のビットからなる表示標識を用いることにより、この情報を、移動交換センタからの呼発起要求メッセージの一部として、又は別の基地局からの引継メッセージの一部として、送信することが可能である。この１ビット表示標識はもちろん、直接又は間接にその移動局のＩＤを表すメッセージと共に送信されることになる。
【００３２】
本発明の更に別の実施例では、呼がモニタ対象であるかどうかの表示が、その呼についての呼記録内に維持される。このような構成では、報告対象となる事柄を移動交換センタに報告すべきかどうかを定めるために別の補助リストを点検する必要がないので有利である。
【００３３】
以上の説明は、本発明の一実施例に関するもので、この技術分野の当業者であれば、本発明の種々の変形例を考え得るが、それらはいずれも本発明の技術的範囲に包含される。
尚、特許請求の範囲に記載した参照番号は発明の容易な理解のためで、その技術的範囲を制限するよう解釈されるべきではない。
【００３４】
【発明の効果】
以上述べたごとく、本発明によれば、呼をモニタすべく選択された移動局の呼を実際に扱っている基地局のみが、その移動局についてのモニタ要求を表示するリストを維持すればよく、或る移動局がモニタされつつあるかどうかを点検する検索が促進される。したがって、従来の技術と異なり、移動局についてのデータの全て又は大部分を取得する作業が効率化される。又、このような構成によれば、本発明を実施するためのソフトウエアの変更が最少範囲に留められる。
【図面の簡単な説明】
【図１】移動交換システムを例示するブロック図であり、本発明を実施するための主要メッセージを示す。
【図２】図３と共に、本発明の方法を例示する流れ図である。
【図３】図２と共に、本発明の方法を例示する流れ図である。
【符号の説明】
１  基地局
２  基地局
１０  移動交換センタ（ＭＳＣ）
１１  データ／交換ネットワーク
１２  動作支援システム
１５  メッセージ
１６  移動局ＩＤ
１７  モニタ要求
２０  移動局
２１  無線接触を示す破線
３０  制御装置
３３  モニタ要求リスト
３５  メッセージ
３６  移動局ＩＤ
３７  モニタ要求
４０  メッセージ
４１  移動局ＩＤ
４２  モニタ要求
４５  メッセージ
４６  移動局ＩＤ
４７  呼データ
【図１】
0003607549.tif 000002
【図２】
0003607549.tif 000003
【図３】
0003607549.tif 000004